(57)【要約】【課題】野球用バットのバット本体の形成、一体化を強固に効率よく行い、耐久性を有し、反揆力と強靱性にすぐれた野球用バットを得る。【解決手段】野球用バットのバット本体をシャフト部分と打球部分の二つの部分から構成し、それらを強固に接着・接合して一体化した野球用バット、打球部分は中空状のアルミニューム合金製からなり、シャフト部分に接続する側の端面に、バット本体の中軸線に対して斜めに切り目を入れ、シャフト部分として、予めその形状、構成にカーボンファイバーなどの基材とエポキシ樹脂で作られたプリプレグを作成し、さらにシャフト部分、打球部分双方の接合部の外側に、このプリプレグ材を巻き付け、それを成型用金型に入れて加圧加熱成型することにより、完全に一体化されたバット本体とする野球用バットの製法およびその野球用バット。【選択図】図１
2007061565.tif 000002
【特許請求の範囲】
【請求項１】
野球用バットのバット本体をシャフト部分と打球部分の二つの部分から構成し、それらを強固に接着・接合して一体化したことを特徴とする野球用バット。
【請求項２】
打球部分は中空状のアルミニューム合金製からなり、シャフト部分に接続する側の端面において、バット本体の中軸線に対して斜めに切り目を入れ、シャフト部分として、予めその形状、構成にカーボンファイバーなどの基材とエポキシ樹脂で作られたプリプレグを作成し、さらにシャフト部分、打球部分双方の接合部の外側に、このプリプレグ材を巻き付け、それを成型用金型に入れて加圧加熱成型することにより、完全に一体化されたバット本体を得ることを特徴とする野球用バットの製法。
【請求項３】
打球部分は中空状のアルミニューム合金製からなり、シャフト部分に接続する側の端面において、バット本体の中軸線に対して斜めに切り目を入れ、シャフト部分として、予めその形状、構成にカーボンファイバーなどの基材とエポキシ樹脂で作られたプリプレグを作成し、さらにシャフト部分、打球部分双方の接合部の外側に、このプリプレグ材を巻き付け、それを成型用金型に入れて加圧加熱成型することにより、完全に一体化したバット本体としたことを特徴とする野球用バット。
【発明の詳細な説明】
【技術分野】
【０００１】  この発明は、野球用バットおよびその製法に関するものである。
【背景技術】
【０００２】  従来において、野球用バットとして一般的な在来品としての材質は、木製、金属製、ＦＲＰ製（強化プラスチック製）であるが、これらはそれぞれ打撃性能において特徴があると同時に避け難い欠点を持っている。すなわち木製バットは、感触、打球効果などがよいが、折損し易いし、木材資源の減少、枯渇の恐れがある。金属製バットは耐久性にすぐれているが、とくにシャフト部分において硬直感があることは避けられない。さらにＦＲＰ製バットにおいては、シャフト部分の反揆強靱性はすぐれているが、打球部分の耐久性が打撃回数を重ねることによって低下し、損傷しやすい欠点がある。
【発明の開示】
【発明が解決しようとする課題】
【０００３】  この発明は、野球用バットを形成するバット本体の形成を一体化することについて、強固に効率よく行うことができ、それによって得られる野球用バットとして、耐久性を有し、反揆力と強靱性にすぐれた製品を得ることを目的とするものである。
【課題を解決するための手段】
【０００４】  野球用バットのバット本体（２）をシャフト部分（Ａ）と打球部分（Ｂ）の二つの部分から構成し、それらを強固に接着・接合して一体化したことを特徴とする野球用バット、打球部分（Ｂ）は中空状のアルミニューム合金製からなり、シャフト部分（Ａ）に接続する側の端面において、バット本体（２）の中軸線に対して斜めに切り目（ｓ）を入れ、シャフト部分（Ａ）として、予めその形状、構成にカーボンファイバーなどの基材とエポキシ樹脂で作られたプリプレグを作成し、さらにシャフト部分（Ａ）、打球部分（Ｂ）双方の接合部（ａ）の外側に、このプリプレグ材を巻き付け、それを成型用金型に入れて加圧加熱成型することにより、完全に一体化されたバット本体（２）を得ることを特徴とする野球用バットの製法、打球部分（Ｂ）は中空状のアルミニューム合金製からなり、シャフト部分（Ａ）に接続する側の端面において、バット本体（２）の中軸線に対して斜めに切り目（ｓ）を入れ、シャフト部分（Ａ）として、予めその形状、構成にカーボンファイバーなどの基材とエポキシ樹脂で作られたプリプレグを作成し、さらにシャフト部分（Ａ）、打球部分（Ｂ）双方の接合部（ａ）の外側に、このプリプレグ材を巻き付け、それを成型用金型に入れて加圧加熱成型することにより、完全に一体化したバット本体（２）としたことを特徴とする野球用バットの構成とする。
【発明の効果】
【０００５】  この発明の野球用バットは、シャフト部分（Ａ）、打球部分（Ｂ）双方の接合部（ａ）において、シャフト部分（Ａ）はＦＲＰ製バットそのものであり、打球部分（Ｂ）はアルミニウム材そのままであり、接合部（ａ）においてはアルミニウム材を内部に保有し、その両外面にＦＲＰ材層が成形されることとなる。これは打球部分（Ｂ）において、アルミニウム材の端面から切れ目（ｓ）としての切断箇所を設けてあることにより、この接合部（ａ）においてはアルミニウム材によって構成されるパイプの表裏に亙り、ＦＲＰ材層（Ａ’）が形成されて全体が一体化され、非常に強固な接合部（ａ）を形成することとなる。この発明は野球用バットを形成するバット本体の形成を一体化することを効率よく行うことができ、それによって得られる野球用バットは、従来の木製バット、金属製バット、ＦＲＰ製バットなどに代わって、耐久性にすぐれ反揆強靱性にすぐれた野球用バットとなる。
【発明を実施するための最良の形態】
【０００６】  この発明の野球用バット（１）とその製法の実施例を説明すると、図１において示すように野球用バット（１）の全体として、主要な構成としてバット本体（２）のシャフト部分（Ａ）と打球部分（Ｂ）からなり、それに先端部（３）グリップエンド（４）が取り付けられる。この発明の特徴としてはバット本体（２）を二つの部分から構成し、それらを接合部（ａ）において強固に接着・接合して一体化したものである。この打球部分（Ｂ）は中空状のアルミニューム合金製からなるが、アルミニウム製パイプをスウェージング加工して形成され、図２、図３に示すように、その細径部側［シャフト部分（Ａ）に接続する側］の端面（Ｂ１）において、バット本体（２）の中軸線に対して斜め、約６０度の角度で、深さ２〜４ｃｍ程度の切り目（ｓ）を四箇所［この切れ目（ｓ）の数は任意でよい］に入れる。なおこの切れ目（ｓ）を施す方向は、図示するところの逆方向つまり下向きでもよい。【０００７】  図４はシャフト部分（Ａ）、打球部分（Ｂ）を接合一体化した状態の縦断面を示す。すなわち打球部分（Ｂ）にシャフト部分（Ａ）を強固に取り付けた状態であり、それはシャフト部分（Ａ）として、予めその形状、構成にカーボンファイバー、グラスファイバーなどの基材とエポキシ樹脂で作られたプリプレグを、その内部にエアバッグを入れ、またこの接合部（ａ）の外側に、同様にこのプリプレグ材を巻き付け、それを成型用金型に入れ、エアバッグの空気を高圧にして加圧加熱成型することにより、完全に一体化されたバット本体（２）が得られる。すなわち接合部（ａ）の図示では左側のシャフト部分（Ａ）はＦＲＰ製バットそのものであり、打球部分（Ｂ）はアルミニウム材製バットそのままであり、接合部（ａ）はアルミニウム材を内部に保有し、その両外面にＦＲＰ材層（Ａ’）が成形されることとなる。これは前述の図２、図３に示すように打球部分（Ｂ）にアルミニウム材の端面（Ｂ１）から切れ目（ｓ）としての切断箇所を設けてあることにより、この接合部（ａ）においてアルミニウム材によって構成されるパイプの表裏に亙りＦＲＰ材層（Ａ’）が形成され、一体化されることとなる。これによって内側と外側のＦＲＰ材層（Ａ’）は完全に一体化し、非常に強固な接合部（ａ）を形成することとなる。
【図面の簡単な説明】
【０００８】
【図１】この発明の野球用バットを示す正面図。
【図２】この発明の野球用バットの打球部分を示す正面図。
【図３】図２の端面拡大斜視図。
【図４】この発明の野球用バットの接合部の縦断面図。
【図５】この発明の野球用バットの接合部の横断面図。
【符号の説明】
【０００９】  （１）    野球用バット
（２）    バット本体
（Ａ）    シャフト部分
（Ｂ）    打球部分
（３）    先端部
（４）    グリップエンド
（ａ）    接合部
（ｓ）    切れ目
（Ａ’）  ＦＲＰ材層
（Ｂ１）  端面
【図１】
2007061565.tif 000003
【図２】
2007061565.tif 000004
【図３】
2007061565.tif 000005
【図４】
2007061565.tif 000006
【図５】
2007061565.tif 000007